(57)【特許請求の範囲】
【請求項１】
水平な上部壁、水平な下部壁、および４つの側壁によって画定されるプレナムと、
実質的に前記プレナム内に配置される複数のランプと
を備える、手術室用の層状空気流天井であって、前記ランプが、
第１のモジュールと、
前記第１のモジュールに連結され、第１の軸線に沿って前記第１のモジュールに対して回転可能である第２のモジュールと、
１つまたは複数の発光素子を備える第３のモジュールであって、前記第２のモジュールに連結され、第２の軸線に沿って前記第２のモジュールに対して回転可能である第３のモジュールと
を備え、前記第２の軸線が前記第１の軸線に対して実質的に垂直であり、
前記ランプの前記第１のモジュールが、第１の歯車装置のある第１の出力シャフトを有する第１のモータを備え、
前記第１の歯車装置が、前記第２のモジュールに配置される歯車装置と噛み合い、
前記ランプの前記第２のモジュールが、第１のピボットがその端部にまたはその端部の近くに取り付けられる第２の出力シャフトを有する第２のモータを備え、
第１のロッドの第１の端部が前記第１のピボットの第１の端部に連結され、および第２のロッドの第１の端部が前記第１のピボットの第２の端部に連結され、
前記第１のロッドの第２の端部が第２のピボットの第１の端部に連結され、および前記第２のロッドの第２の端部が前記第２のピボットの第２の端部に連結され、
前記第２のピボットが、前記第２の軸線に沿って配置される第３のシャフトに取り付けられ、
それによって前記第３のシャフトを、前記第２のモータによって回転させることができる、
層状空気流天井。
【請求項２】
前記複数のランプの前記第２の軸線が、実質的に、前記プレナムの前記水平な下部壁と一致する平面内にある、請求項１に記載の層状空気流天井。
【請求項３】
前記複数のランプの前記第１のモジュールが、前記プレナムの前記水平な上部壁に取り付けられる、請求項１に記載の層状空気流天井。
【請求項４】
複数の管状要素が、実質的に前記プレナム内に設けられ、各管状要素が、前記ランプのうちの１つを取り囲む、請求項１に記載の層状空気流天井。
【請求項５】
前記管状要素が、第１の端部において前記プレナムの前記上部壁に取り付けられ、第２の端部において前記プレナムの前記下部壁に取り付けられる、請求項４に記載の層状空気流天井。
【請求項６】
前記プレナムの前記下部壁が、複数の長方形の下部壁要素を備える、請求項１に記載の層状空気流天井。
【請求項７】
前記下部壁セグメントのうちの１つまたは複数が、前記ランプの１つを実質的に嵌合させるのに適応する切抜きを備える、請求項６に記載の層状空気流天井。
【請求項８】
前記切抜きが、長方形の下部壁要素のコーナー領域に設けられる、請求項７に記載の層状空気流天井。
【請求項９】
前記複数のランプのそれぞれが、実質的に半球状のカバーを備える、請求項１に記載の層状空気流天井。
【請求項１０】
前記ランプの前記第１の軸線が前記上部壁に対して垂直な軸線である、請求項１に記載の層状空気流天井。
【請求項１１】
前記ランプの前記第２のモジュールが、前記第２の軸線に沿って前記第３のモジュールを回転させるための機構を備え、前記機構が、実質的に前記第２のモジュールの端縁よりも先に突出しない、請求項１に記載の層状空気流天井。
【請求項１２】
前記第３のモジュールが、複数のＬＥＤを備える、請求項９に記載の層状空気流天井。
【発明の詳細な説明】
【技術分野】
【０００１】
本発明は、天井の一部または壁の一部に取り付けるためのランプに関し、より詳細には、手術室（ＯＲ）の天井に取り付けられるのに特に適したランプに関する。
【背景技術】
【０００２】
医療専門家およびそのチームが外科的介入を行うことができるためには、通常、手術領域および特に患者の内部について強い照明が必要である。
【０００３】
このために、多くのＯＲには、可動支持アームの遠位端に取り付けられるランプが設けられる。これらのアームは、所望の方向に光を方向付け、かつ手術中に必要とされる適切な照明を行うために手で制御され得る。
【０００４】
しかしながら、ＯＲを照明するこの従来の方法は、いくつかの欠点を有する。たとえば、ランプのそれぞれは、ＯＲの特定の領域を照明するために手で操作されなければならない。手術が人体のさまざまな部位またはＯＲのさまざまな領域を（患者に加えて、たとえば器具カートや器具台もまた）照明する必要がある場合、これは、これらの従来の手段を用いて実現するには困難な場合がある。また、照明される必要があるＯＲの領域は、手術中に変化することがあり、したがってさまざまなランプを、絶えず手で操作しなければならず、これは、面倒な場合がある。さらに、支持アームおよびランプの存在が、層状空気流（ＬＡＦ）天井によって確立される層状空気流を乱す場合があり、複数のランプがＯＲの異なる部分を照明できるように設けられる場合には、なおさらそうである。
【０００５】
層状空気流天井は、天井から手術領域に向けて実質的に層状の垂直空気流を確立するように手術室の（一部）に設けられ得る。この空気流は、微生物、バクテリア、病原体等を全く含まない状態に手術領域（および特に患者）を保ち、かつ医療専門家およびそのサポート要員が患者の手術部位を汚染することを防止するように供給される。
【０００６】
支持アームおよびランプの存在は、ＬＡＦ天井によって確立される層状空気流を乱す場合があり、したがって手術後に発生する感染のリスクがより高くなることがある。
【０００７】
国際公開第２００７／０３６５８１号パンフレットは、発光素子の配列を備える照明システムを開示しており、そこでは、発光素子は個々にまたはグループになって制御され得る。これは、ＯＲのさまざまな領域を同時に照明するという問題を解決する。しかしながら、発光素子の配列が天井から吊り下げられ、ＬＡＦ天井の層状空気流を著しく乱す場合がある。
【０００８】
国際公開第０１／６９１３０号パンフレットは、複数の事前組み立て式照明モジュール素子を備える天井を開示している。前記照明モジュール素子は、２つの軸線の周りに白熱電球（またはＬＥＤ素子）を回転させるためにジャイロ懸架システムを備えている。しかしながら、ジャイロ懸架システムは、大きな空間を占有し、面倒な据え付けを必要とする。さらに、この種のランプがＬＡＦ天井に取り付けられる場合、ランプによって占有される空間は、ＯＲの中に空気を通過させるのに使用できない。
【先行技術文献】
【特許文献】
【０００９】
【特許文献１】国際公開第２００７／０３６５８１号パンフレット
【特許文献２】国際公開第０１／６９１３０号パンフレット
【発明の概要】
【発明が解決しようとする課題】
【００１０】
本発明は、従来型システムに関連する前述の欠点のうちの１つまたは複数を回避し、あるいは少なくとも部分的に減少させることを目的としている。さらなる利点が、次に述べる説明から明らかになるであろう。
【課題を解決するための手段】
【００１１】
第１の態様では、本発明は、壁または天井要素に取り付けられるための第１のモジュールと、第１のモジュールに連結され、第１の軸線に沿って第１のモジュールに対して回転可能である第２のモジュールと、１つまたは複数の発光素子を備える第３のモジュールであって、第２のモジュールに連結され、第２の軸線に沿って第２のモジュールに対して回転可能である第３のモジュールとを備え、第２の軸線が実質的に第１の軸線に対して垂直である、ランプを提供する。
【００１２】
本発明のこの態様では、照明している領域を大きく変化させることができる（ランプを２つの垂直軸線の周りに回転させることができる）が、同時に、容易に取り付け可能であり、減少された空間しか占有しない、ランプが提供される。
【００１３】
いくつかの実施形態では、前記第１のモジュールは、第１の歯車装置のある第１の出力シャフトを有する第１のモータを備え、前記第１の歯車装置は、第２のモジュールに配置される歯車装置と噛み合う。この配置を用いて、第１および第２のモジュールは、実質的に同じ長手方向軸線に沿って配置されることができ、したがって、ランプはより少ない空間しか占有しない。
【００１４】
第２のモジュールは、前記第２の軸線に沿って第３のモジュールを回転させるための機構を備え、前記機構は、実質的に第２のモジュールの端縁よりも先に突出しないことが好ましい。これらの実施形態のいくつかでは、第２のモジュールは、第１のピボットがその端部にまたはその近くに取り付けられる第２の出力シャフトを有する第２のモータと、前記第１のピボットの第１の端部に連結される第１のロッドの第１の端部、および前記第１のピボットの第２の端部に連結される第２のロッドの第１の端部と、第２のピボットの第１の端部に連結される前記第１のロッドの第２の端部、および第２のピボットの第２の端部に連結される前記第２のロッドの第２の端部とを備え、前記第２のピボットは、前記第２の軸線に沿って配置される第３のシャフトに取り付けられ、それによって前記第３のシャフトを、前記第２のモータによって回転させることができる。この特定の配置の場合、第２のモジュールおよび第３のモジュールは、同じ長手方向軸線に沿って配置されることができるが、第３のモジュールは、この線に対して垂直な軸線に沿って回転する。これは、本発明によるランプによって占有される空間をさらに限定することができる。
【００１５】
いくつかの実施形態では、第３のモジュールは複数のＬＥＤを備えることができる。これらのＬＥＤは、全く実質的に同じであることができ、または異なるタイプのＬＥＤ（たとえば、異なる色彩）が、単一のランプ内に設けられ得る。他の実施形態では、１つまたは複数の白熱電球が使用され得る。
【００１６】
別の態様では、本発明は、上部水平壁、下部水平壁、および４つの側壁によって画定されるプレナムと、実質的に以前に説明したような複数のランプとを備える手術室用の層状空気流天井を提供する。前記複数のランプは、実質的に前記プレナム内に配置されることが好ましい。ランプは、多くの空間を占有せず、プレナム内に容易に配置され得る。この態様では、ＬＡＦ天井からの層状空気流は乱されず、ランプは、手術室のさまざまな部分を選択的に依然として照明することができる。
【００１７】
いくつかの実施形態では、複数のランプの第２の軸線は、実質的に、プレナムの下部水平壁と一致する平面内にある。これらの実施形態では、ランプは、実質的にプレナムよりも先に突出せず、したがって実質的に層状空気流を乱すことができない。同時に、ランプの第３のモジュール内の発光素子によって発生されるいずれの光も、天井の一部によって阻止されない。
【００１８】
いくつかの実施形態では、複数のランプの第１のモジュールは、プレナムの上部水平壁に取り付けられる。この態様では、ランプは、特に容易な方法で取り付けられ得る。
【００１９】
いくつかの実施形態では、複数の管状要素が、実質的に前記プレナム内に設けられ、各管状要素は、ランプのうちの１つを取り囲む。任意選択的に、前記管状要素は、第１の端部においてプレナムの上部壁に取り付けられ、第２の端部においてプレナムの下部壁に取り付けられる。これによって、ランプを取り付ける特に容易な方法が提供される。そのうえ、ランプを取り囲む管状要素は、ランプの構成要素の汚染を防止することができ、また、プレナム内の空気流の起こり得る乱れを低減することができる。
【００２０】
いくつかの実施形態では、プレナムの下部壁は、複数の長方形の下部壁要素を備えることができる。この種のモジュラー組立は、特に容易に製造され、組み立てられ得る。
【００２１】
任意選択的に、前記下部壁セグメントのうちの１つまたは複数は、実質的に以上に説明したようなランプを実質的に嵌合させるのに適応する切抜きを備えることができる。
【００２２】
任意選択的に、前記切抜きは、長方形の下部壁要素のコーナー領域に設けられ得る。本発明のこの態様では、層状空気流を通過させるための天井の領域が最大化され得る。
【００２３】
本発明の特定の実施形態を、添付の図面を参照して単に非限定的な例示として下記に説明する。
【図面の簡単な説明】
【００２４】
【図１ａ】本発明による第１の実施形態のランプを示す図である。
【図１ｂ】本発明による第１の実施形態のランプを示す図である。
【図１ｃ】本発明による第１の実施形態のランプを示す図である。
【図１ｄ】本発明による第１の実施形態のランプを示す図である。
【図１ｅ】本発明による第１の実施形態のランプを示す図である。
【図１ｆ】本発明による第１の実施形態のランプを示す図である。
【図２ａ】ＬＡＦ天井装置に取り付けられる、本発明によるランプの実施形態を示す図である。
【図２ｂ】ＬＡＦ天井装置に取り付けられる、本発明によるランプの実施形態を示す図である。
【図２ｃ】ＬＡＦ天井装置に取り付けられる、本発明によるランプの実施形態を示す図である。
【図３】本発明によるランプの実施形態の詳細を示す図である。
【図４】本発明によるランプの実施形態と結合して有利に使用され得るＬＡＦ天井の可能なレイアウトを示す図である。
【図５】本発明によるランプを用いてＯＲの手術領域を照明する方法を概略的に示す図である。
【発明を実施するための形態】
【００２５】
図１ａは、本発明の実施形態による一部が切開されたランプの等角図を示している。ランプ２０は、第１のモジュール３０、第２のモジュール４０、および第３のモジュール４５を備えている。第１のモジュール３０は、天井の一部（または、あるいは壁の一部）にランプを取り付けるための取付けブラケット３１を備える。側部ブラケット３２が、取付けブラケット３１をボトム・ブラケット３５に連結する。ブラケットは、第１のモジュールの荷重支持フレームを形成する。適切なプレート要素が、密閉ハウジングを形成するようにブラケットの間に設けられ得る。第１のモータ・ベース３４が、ボトム・ブラケット３５上に設けられる。第１のモータ３３が、前記第１のモータ・ベース３４に連結される。
【００２６】
この実施形態では、第２のモジュール４０は、ベース・ブラケット４３を備える。ベース・ブラケット４１の側面から２つの側部ブラケット４２が下方に延在する（図１ａでは、１つだけが示されている）。作動機構４３が、第２のモジュール４０に対して第３のモジュール４５を回転させるように設けられる。実質的に透明または半透明であり得る半球状のカバー４６が設けられ、環状リム４７を備えている。この第１の実施形態によるランプのいくつかの一層の詳細は、図１ｂ〜図１ｆによって明らかになり得る。
【００２７】
図１ｂでは、参照符号２９が、軸線２９を示すように用いられており、その周りでは第２のモジュール２０が第１のモジュール３０に対して回転することができる。天井または壁要素１９が示されており、それに対して取付けブラケット３１が、任意の適切な締結方法（ねじ、ボルト、溶接、接着剤等）で連結され得る。また、第２の軸線を構成するシャフト４９が示されており、その周りでは第３のモジュール４５を、第２のモジュール４０に対して回転させることができる。シャフト４９は、実質的に軸線２９に対して垂直である。これは、図１ｅに示されるように広い動作の自由をランプに与える。
【００２８】
図１ｅの状態Ａでは、第２のモジュールも第３のモジュールも共に０°位置にあるランプが示されている。状態Ｂでは、第３のモジュール４５を、第２のモジュール４０に対して４５°回転させている。また、状態Ｃでは、第２のモジュール４０をも、第１のモジュール３０に対して４５°回転させている。したがって、この実施形態によるランプを用いると、２つの軸線の垂直な配置のため、単一のランプで広い照明方向の変化を実現することができる。
【００２９】
また、図１ｅはまた、完全なハウジングを有する、すなわちさまざまなブラケットの間に板状ワークを含む第１および第２のモジュールを示している。図１ｅでは、第２のモジュールに対して第３のモジュールを回転させるための機構が実質的に第２のモジュールの端縁よりも先に突出せず、したがってランプをコンパクトにするということが理解できる。図１の特定の設計では、第２のモジュールが第１のモジュールに対して０°位置のところにある場合、第３のモジュールを回転させるための機構は、同様に第１のモジュールの端縁の仮想延長部分よりも先に突出しない。
【００３０】
図１ｄは、第１および第２のモジュールの作動機構のいくつかの細部を示している。第２のモジュールは、ベース・ブラケット４１に取り付けられる第２のモータ５０を備える。ピボット５２が、第２のモータの出力シャフト５１の端部領域に取り付けられる。ピボット５２の第１の端部５２ａにおいて、および第２の端部５２ｂにおいて、第１のロッド５３および第２のロッド５４がそれぞれ取り付けられる。第１のロッド５３および第２のロッド５４は、それらの他の端部において第２のピボットの第１の端部および第２の端部に連結される（図１ａを参照されたい）。この第２のピボットは、シャフト４９に取り付けられ、それによって、第２のモータ５０を作動させると、第１および第２のピボットは同時に回転してシャフト４９の周りに第３のモジュール４５を回転させる。
【００３１】
ベース・ブラケット４１は、ガイド３８を備え、そこでは第１のモジュールのボス３７が案内される。軸受ディスク３６が、第１のモジュールと第２のモジュールとの間の連結を確実にする。図１ｄでは、第１のモータ３３の出力シャフトに配置される歯車装置と噛み合う第２のモジュールの歯車装置は示されていない。
【００３２】
図１ｆは、同じ作動機構の異なる図を示している。また、同じ図はまた、第３のモジュール４５の冷却スリット、および半球状のカバー４６を強調している。
【００３３】
最後に、図１ｃは、第３のモジュール４５に配置される複数の発光素子５９を示している。この特定の実施形態では、１８個のＬＥＤが設けられている。しかしながら、任意の異なる数のＬＥＤを使用することができることも明らかであろう。そのうえ、ＬＥＤの代わりに、（たとえば白熱電球などの）他の発光素子もまた使用することができる。しかしながら、ＬＥＤは、より少ないエネルギー消費、より長い寿命、より小さなサイズ、およびより大きな信頼性をはじめとする白熱光源よりも優れたいくつかの利点をもたらすことができる。
【００３４】
示された実施形態では、モジュールは、荷重支持ブラケット、および実質的に非荷重支持の板状ワークから構成された。しかしながら、本発明の範囲内で多くの他の可能な構造を提供できることが明らかであろう。
【００３５】
第１および第２のモータならびに発光素子に必要とされる電力は、電気配線、および電力系統への接続によって供給され得る。あるいは、バッテリーなどの独立した電源もまた使用され得る。
【００３６】
図２ａ〜図２ｂは、ＬＡＦ天井装置に取り付けられる、本発明によるランプの実施形態を示している。ＬＡＦ天井は、参照符号１０で示されている。この実施形態では、ＬＡＦ天井１０は、複数のケーブル１６および取付け具１６ｂによってＯＲ天井から吊り下げられている（図２ｂを参照されたい）。他の実施形態では、ＬＡＦ天井１０はまた、ＯＲ天井自体に一体化され得る。さらなる実施形態では、ＬＡＦ組立体は室の側壁に配置され得る。この種の配置は、本発明の他の用途に使用され得る。
【００３７】
ＬＡＦ天井は、上部壁１９、下部壁１１、および４つの側壁１４によって画定されるプレナム１３を備えている。層状空気流は、プレナムに対してＯＲの中の減圧によって確立され得る。多くの小さな一直線の垂直孔が底壁１１に設けられ、それを通して空気が通過できる。空気はまた、ＯＲから（たとえば側壁の通気孔を通して）吸い込まれ、濾過され、プレナム１３に再供給される。複数のランプ１２が、実質的にプレナム内に取り付けられる。ランプのそれぞれは、略円筒形の管１５に設けられる。
【００３８】
この実施形態では、円筒形の管は、プレナムの上部壁から底壁に延在し、ＬＡＦ天井の直下の領域の中に実質的に延在せず、したがって、その領域ではいかなる層状空気流も乱すことができない。上部壁において、管１５はリム１８に取り付けられ、下部壁１１において、管１５はリム１７で取り付けられる。
【００３９】
示された装置の利点は、複数のランプを、プレナムに対して容易に取り付けることができるということである。また、ランプがプレナムの空間を占有し、またはプレナム内の流れを損なう支持体もしくは機構を有しないということが理解できる。しかしながら、モジュラー組立および容易な組立を維持する一方で、管状要素１５に異なる断面形状が選択され得ることは明らかであろう。
【００４０】
図２ｃは、ＬＡＦ天井を用いて発生され得る空気流、および本発明による複数のランプを概略的に示している。プレナムの側壁は、空気がプレナムの中に入れるようになっている開口を有する。ＬＡＦ天井の直下では、空気流は、まだ幾分乱れている場合がある。しかし、ＬＡＦ天井の下の近距離では、層状空気流が確立し、これは、照明システムによってさらに乱されない。また、図２ｃには、この種の層状空気流が、いかにしてバクテリア、微生物等を実質的に全く含まない状態に手術台９０の天板上の手術領域を保つことができるかが示されている。
【００４１】
図３は、円筒形の管１５内の同様なランプを示している。その下部リム１７のところで、これは、複数のたとえばボルトまたはねじによってＬＡＦ天井プレナムの底壁要素１１ａに連結され得る。そのような組立て状態では、（その周りで第３のモジュールが回転する）第２のモジュールの第２の軸線は、実質的に下部壁１１と一致し得るということが理解できる。
【００４２】
半球状のカバー４６は、ねじ４８を用いて壁要素１１ａに連結される。他の実施形態では、半球状以外の他の形状がカバーに選択され得る。半球状のカバーの利点は、特に、第３のモジュール４５の向きにかかわらず、光がカバーの上に垂直に向き、このようにそれを通過できるということである。別の利点は、半球状のカバーが層状空気流を促進するということである。しかしながら、他の形状の場合も、層状空気流が確立され得る一方で、やはり十分な光を通過できることが明らかであろう。
【００４３】
図４は、セグメント１１ａ、１１ｂ、１１ｃ、および１１ｄを備えるＬＡＦ天井の下部壁１１の断面を示している。したがって、この実施形態の下部壁１１もまたモジュラー組立を有する。好ましい実施形態では、要素はすべて、１／４円形切抜きを備え、したがって４つの要素は、一緒に実質的に円形孔を形成し、その中にランプが嵌合され得る。
【００４４】
要素１１ａ〜要素１１ｄのそれぞれは、中央領域６２および縁領域６１を有する。縁領域では、層状空気流を確立する孔の密度が中央領域６２におけるよりも低い。したがって、コーナーに切抜きを設けることにより、より高い層状空気流能力を維持することができる。あるいは、切抜きは、（コーナーにではなく）縁領域の異なる部分に作られ得る。いくつかの実施形態では、ランプは、天井セグメントの中央領域に嵌合されることさえあり得る。
【００４５】
さらに、４つの１／４円形切抜きが一緒に円形切抜きを形成する必要がないことは明らかであろう。パネルの配置に応じて、たとえば、２つの半円形の切抜きも同様に使用され得る。また、異なる形状が管状要素に選択される場合には、切抜きにも異なる形状が使用され得ることは明らかであろう。さらに、異なるサイズおよび形状（たとえば正方形）が天井セグメントに選択され得ることは明らかであろう。
【００４６】
さらなる実施形態では、２つ以上のランプが、単一の天井セグメントに設けられ得る。
【００４７】
手術領域を照明する可能な方法が、図５を参照して示されている。ＯＲの天井に配置される複数のランプ２０が示される。ランプ２０のそれぞれは、個々に制御され得る。ランプ２０は、２つの垂直な軸線に沿って、すなわち角度φを決定するように第１の軸線２９に沿って、および角度Φを決定するように第２の軸線６９（図示せず）に沿って回転され得る。
【００４８】
指示棒８０を用いて、外科医またはそのサポート・チームは、手術台９０のどの特定領域９５を照明すべきかを指示することができる。このために、指示棒８０の両極端は、たとえば赤外線エミッタ備えることができ、この赤外線エミッタは、ＯＲの壁または天井に沿って配置され得る複数のビデオ・カメラのうちの１つまたは複数によって検出され得る。
【００４９】
ＩＲエミッタが少なくとも３つのカメラによって検出される場合には、その３次元位置が正確に決定され得る。好ましい実施形態では、少なくとも４つのカメラが設けられ、したがって、たとえ１つのカメラがＩＲエミッタの正しく合っているものから一時的に視覚的に遮蔽されても（たとえばＯＲ内で手術している人によって）、その位置は、依然として確実に検出され得る。ＩＲエミッタの両方の位置を検出することによって、支持棒の位置ばかりでなくその向きも決定され得る。このようにして、制御システムは、どの領域が、およびまたどの方向から照明されるべきかを知ることができる。これは、人または他の障害物によって生じる影のために所望の領域に達しない光を回避することができる。
【００５０】
複数のランプを用いて、ＯＲの別個の領域が都合よく照明され得る。いくつかの実施形態では、いくつかのランプは、異なるデフォルト位置を仮定することができる。このようにして、回転移動が限定される場合でさえ、ＯＲの死角が回避され得る。また、いくつかの実施では、異なるランプは異なる発光素子を備えることができ、それによって適切なランプが異なる照明「タスク」のために選択され得る。
【００５１】
好ましい実施形態では、調整用つまみが、たとえば光の強度が調整されるようになっており、かつ／または照明されるもののサイズが調整されるようになっている指示棒に一体化される。この態様は、特定の目的のために光を調整できるように使用されることができ、小さな領域のより高い光の強度は、たとえば器具カート（これについては、より大きな領域をより低い光強度で照明する必要がある場合がある）を照明するためよりも患者の身体の手術入口点を照明するために必要とされ得る。さらなる実施形態では、１つのランプ２０内のＬＥＤは、個々にまたはグループになって制御され得る。
【００５２】
しかしながら、多くの他の制御の方法が本発明の実施形態と結合して使用され得ることは明らかであろう。他の実施形態では、複数のランプの制御は、自動的または半自動的であることができ、適切なセンサを用いると、照明されるべき領域を検出することができ、ランプは、それに応じて制御され得る。
【００５３】
特に手術室を参照して本発明を説明したが、本発明によるランプは他の用途を有し得ることが明らかであろう。特に、本発明によるランプは、有利なことに、たとえば歯科医師の処置室、獣医学手術領域、および無菌室にも使用され得る。
【００５４】
本発明を一定の好ましい実施形態および実例の文脈で開示しているが、本発明は、特定的に開示された実施形態を越えて他の別法の実施形態、および／または本発明の使用法、および明白な改変、および本発明の均等物にまで及ぶことが当業者には理解されるであろう。したがって、本明細書に開示された本発明の範囲は、前に説明した特定の開示された実施形態によって限定されるべきではなく、次に述べる特許請求の範囲を公平に読むことによってのみ決定されるべきであることが意図される。
【図１ａ】
0005911862.tif 000002
【図１ｂ】
0005911862.tif 000003
【図１ｃ】
0005911862.tif 000004
【図１ｄ】
0005911862.tif 000005
【図１ｅ】
0005911862.tif 000006
【図１ｆ】
0005911862.tif 000007
【図２ａ】
0005911862.tif 000008
【図２ｂ】
0005911862.tif 000009
【図２ｃ】
0005911862.tif 000010
【図３】
0005911862.tif 000011
【図４】
0005911862.tif 000012
【図５】
0005911862.tif 000013